(57)【要約】【課題】  筆記具の扱いや筆記し易くし、使用者に興趣を与えると共に気持ちを和らげることができるペンスタンドを提供する。【解決手段】  透明部材からなるスタンド本体２のスタンド部２１に筆記具Ｐを挿離脱可能なペン差込み孔２１ａを形成し、照明用のＬＥＤ４１をスタンド本体２の表示部２２の下方の台ボックス３に配置し、電池４２から上記ＬＥＤへの通電をオン・オフするための照明用のスイッチ４３を設け、筆記具はペン差込み孔内における挿入保持状態ではスイッチがオフとなって上記ＬＥＤが消灯し、離脱非保持状態では上記スイッチがオンとなって点灯し、点灯時の光は装飾シート５を透過して、図柄が表示部２２を通じて透過表示される。【選択図】        図２
0003220032.tif 000002
【実用新案登録請求の範囲】
【請求項１】
スタンド本体、台ボックス、発光装置及び装飾板を備えており、
上記スタンド本体はスタンド部と表示部とを組み合せて形成してあり、
上記スタンド部は筆記具を挿入離脱可能であるペン差込み孔を設けてあり、
上記表示部は上記スタンド部から突出してあって透明部材からなり、
上記台ボックスは上記表示部の下方に配置されており、
上記発光装置は照明用のＬＥＤ、照明用のＬＥＤに電力を供給する電源及び上記照明用のＬＥＤへの通電をオン・オフするための照明用のスイッチを有しており、
上記装飾板は図柄が施されている透光性のシートであり、
上記照明用のスイッチのオン・オフは、上記ペン差込み孔内に挿入離脱される上記筆記具を通じて切り替え可能であり、
上記照明用のＬＥＤは、上記装飾板の下面側に配置されかつ上記図柄とは対向位置関係にあり、
上記装飾板は上記表示部の下面に対向して上記台ボックス上に配置されており、
上記表示部の表面には、上記照明用のＬＥＤからの透過光及びこの透過光により写し出される上記装飾板の図柄が組み合わされた意匠を表示可能である
ことを特徴とするペンスタンド。
【請求項２】
スタンド本体におけるスタンド部と表示部とは透明部材により一体に成形されていることを特徴とする請求項１記載のペンスタンド。
【請求項３】
照明用のＬＥＤは複数設置されていることを特徴とする請求項１又は請求項２記載のペンスタンド。
【請求項４】
照明用のＬＥＤは複数設置されており、装飾板は青葉が描かれた図柄を形成してあるフィルム状のシートであることを特徴とする請求項１乃至請求項３のいずれかに記載のペンスタンド。
【請求項５】
筆記具はペン差込み孔内により挿入保持状態では照明用のスイッチがオフとなって照明用のＬＥＤが消灯可能であり、上記ペン差込み孔内からの離脱非保持状態では上記照明用のスイッチがオンとなって上記照明用のＬＥＤが点灯可能であることを特徴とする請求項１乃至請求項４のいずれかに記載のペンスタンド。
【考案の詳細な説明】
【技術分野】
【０００１】
この考案は、ホテルや旅館などで用いられる照明機能を備えているペンスタンドに関するものである。
【背景技術】
【０００２】
室内が薄暗かったり、暗い場所では文字が書き難かったり又は書くことが困難となることは周知のとおりである。このような場合には明かりを付けるのが一般的であるが、筆記する場所に応じて、その都度点灯するのは面倒であるため、従来から照明機能付きの筆記具が提案されている（特開２０１４−１３１８６０号公報及び実用新案登録第３１３９３８６号公報など）。
例えば特開２０１４−１３１８６０号公報に係るＬＥＤ機能付きボールペンはＬＥＤをペンの先端に取付けることによって暗闇や夜間作業する分野でも効率的に文字を書けるようにしたものである。
【先行技術文献】
【特許文献】
【０００３】
【特許文献１】特開２０１４−１３１８６０号公報
【特許文献２】実用新案登録第３１３９３８６号公報
【考案の概要】
【考案が解決しようとする課題】
【０００４】
上記従来例による新たな問題として、筆記具を台上や机上に無造作に置く傾向があり、整頓されて置かれていなかった場合には再使用時その置き場所が不明となって、探すのに苦労するなどその扱いが面倒であり、光源や電源を筆記具内に収納させるために筆記具が重くなってしまい、筆記し易くするための改善の必要性があった。
この考案の目的は、筆記具の扱いや筆記し易くすると共に使用者に興趣を与えると共に気持ちを和らげることができるペンスタンドを提供することにある。
【課題を解決するための手段】
【０００５】
この考案に係るペンスタンドの第１の特徴は、スタンド本体、台ボックス、発光装置及び装飾板を備え、上記スタンド本体はスタンド部と表示部とを組み合せて形成してあり、上記スタンド部は筆記具を挿入離脱可能であるペン差込み孔を設けてあり、上記表示部は上記スタンド部から突出してあって透明部材からなり、上記台ボックスは上記表示部の下方に配置されており、上記発光装置は照明用のＬＥＤ、照明用のＬＥＤに電力を供給する電源及び上記照明用のＬＥＤへの通電をオン・オフするための照明用のスイッチを有しており、上記装飾板は図柄が施されている透光性のシートであることにある。上記照明用のスイッチのオン・オフは、上記ペン差込み孔内に挿入離脱される上記筆記具を通じて切り替え可能である。上記照明用のＬＥＤは、上記装飾板の下面側に配置されかつ上記図柄とは対向位置関係にある。上記装飾板は上記表示部の下面に対向して上記台ボックス上に配置されている。上記表示部の表面には、上記照明用のＬＥＤからの透過光及びこの透過光により写し出される上記装飾板の図柄が組み合わされた意匠を表示可能である。
この考案に係るペンスタンドの第２の特徴は、第１の特徴を前提とし、スタンド本体におけるスタンド部と表示部とは透明部材により一体に成形されていることにある。
この考案に係るペンスタンドの第３の特徴は、第１又は第２の特徴を前提とし、  照明用のＬＥＤは複数設置されていることにある。
この考案に係るペンスタンドの第４の特徴は、第１乃至第３のいずれかの特徴を前提とし、照明用のＬＥＤは複数設置されており、装飾板は青葉が描かれた図柄を形成してあるフィルム状のシートであることにある。
この考案に係るペンスタンドの第５の特徴は、第１乃至第４のいずれかの特徴を前提とし、筆記具はペン差込み孔内により挿入保持状態では照明用のスイッチがオフとなって上記照明用のＬＥＤが消灯可能であり、上記ペン差込み孔内からの離脱非保持状態では上記照明用のスイッチがオンとなって上記照明用のＬＥＤが点灯可能であることにある。
【考案の効果】
【０００６】
この考案のペンスタンドによれば、使用時に照明用のＬＥＤが点灯するので夜間でも筆記具の存在が明確となって筆記具を探す必要がなく筆記具の扱いが容易になるからスムーズに筆記することができ、そして、不使用時に消灯しているから例えば枕元に置いておいても睡眠の妨げにならない。
また、この考案のペンスタンドによれば、照明用のＬＥＤの点灯に伴ってＬＥＤからの照射光が装飾板を裏面から表面側に透過してその回りを明るくすると同時に、装飾板に対して照射光が強く当たる裏側の部分が表側では光輝く光のスポットになり、スポットにおける輝く透過光と、装飾板に施された図柄とが組み合わされて、スタンド本体の表示部の表示面にはデザイン化された意匠として表示され、季節感を醸し出すなど、筆記具の使用場所の雰囲気を和らげ、かつ使用者の気持ちを落ち着かせることを可能にし、商品価値が高められる。
【図面の簡単な説明】
【０００７】
【図１】この考案に係るペンスタンドを示す斜視図である。
【図２】この考案に係るペンスタンドを示す一部断面正面図である。
【図３】この考案に係るペンスタンドを示す平面図である。
【図４】この考案に係るペンスタンドを示す右側面図である。
【図５】この考案に係るペンスタンドのスタンド本体を示す一部断面正面図である。
【図６】図５のｖｉ−ｖｉ線断面図である。
【図７】この考案に係るペンスタンドの台ボックスを示す斜視図であって、装飾シート及びスイッチケースを取り付けている図である。
【図８】この考案に係るペンスタンドの台ボックスを示す斜視図である。
【図９】この考案に係るペンスタンドの台ボックスを示す斜視図であって、台ボックスから蓋板を引き出した状態の図である。
【図１０】この考案に係るペンスタンドの台ボックスを示す断面図である。
【図１１】この考案に係るペンスタンドの発光装置の電気回路図である。
【図１２】この考案に係るペンスタンドにおける発光装置の回路基板と装飾シートとの位置関係を示す正面図である。
【図１３】この考案に係るペンスタンドの台ボックス内に発光装置の電池を収納している状態を示す一部断面底面図である。
【図１４】図１３のｘｉｖ−ｘｉｖ線断面図である。
【図１５】この考案に係るペンスタンドの照明用のスイッチの開状態を示す拡大断面図である。
【図１６】この考案に係るペンスタンドの照明用のスイッチの閉状態を示す拡大断面図である。
【図１７】この考案に係るペンスタンドの装飾シートを台ボックスの収納室に収納している状態を示す平面図である。
【図１８】この考案に係るペンスタンドの装飾シートを示す平面図である。
【図１９】この考案に係るペンスタンドの斜視図であって、装飾シートが表示部を透過している状態を示す図である。
【図２０】この考案に係るペンスタンドにおける台ボックスの他の例を示す平面図である。
【図２１】図２０のｘｘｉ−ｘｘｉ線断面図である。
【図２２】（ｉ）及び（ｉｉ）は、この考案に係るペンスタンドの装飾シートの他の二例をそれぞれ示す平面図である。
【考案を実施するための形態】
【０００８】
この考案に係るペンスタンドについて図面に基づいて説明する。
図１及び図２において、この考案の実施形態を示すペンスタンド１は、スタンド部２１及び表示部２２を有するスタンド本体２、台ボックス３、発光装置４並びに装飾板５をそれぞれ備えている。
【０００９】
まず、スタンド本体２について、図１〜図４を参照して説明する。
スタンド本体２はスタンド部２１と厚みのある表示部２２とを組み合わせて構成されている。
スタンド本体２のスタンド部２１及び表示部２２は、いずれも透明なアクリル樹脂などの透明部材により一体的に成形され、図示の例では横向きの「Ｔ」形である。スタンド本体２は、表示部２２を通じて後述する照明用のＬＥＤ４１からの光を透過させて外部に向けて照射可能にしている。
スタンド本体２の下半部において、スタンド部２１と表示部２２とによって台ボックス３を収納するための収納空間２３を形成している。
【００１０】
図１〜図６において、スタンド部２１にはペン差込み孔２１ａをその上面から下方に向けて貫通してある。ペン差込み孔２１ａは筆記具Ｐをスタンド部２１の上面の開口部から挿入可能であると共に、孔から離脱可能である。スタンド部２１の高さ即ち、ペン差込み孔２１ａの軸方向の長さは筆記具Ｐの長さより短く設定され、筆記具Ｐの上部側がスタンド部２１より上方に露出されるため、筆記具の取扱い操作をし易くしている。また、筆記具Ｐをペン差込み孔２１ａに差し込んだ際に、この筆記具の先端部が下端開口に抜け出さないために、ペン差込み孔の下端部の内径を絞ったり、円板状のストッパ底板やストッパリングを嵌め込んでも良い。
また、スタンド部２１であって、表示部２２側である側面側（図２右側面側）の下部には、その側面からペン差込み孔２１ａに達する底が開口されている縦長の取付け溝２１ｂを開けてある。
【００１１】
図１〜図６において、表示部２２はスタンド部２１の側方（図５右方）から水平方向に突出された又は張り出された厚みのある板状のものである。表示部２２はその上面が表示面２２ａとなっており、またその奥行きはスタンド部２１のそれと一致している。
表示部２２は透明部材から構成されているため、表示部の下面に対向して位置している装飾板５の外形形状や色彩などをそのまま表示面２２ａから見透かすことができる。
【００１２】
台ボックス３は、図１〜図４に示すようにスタンド部２１の下方側面と表示部２２の下面とにより囲まれた収納空間２３内に配置されている。
図７〜図１０において、台ボックス３の本体となる四角筒状のボックス枠３１の下部開口側が蓋板３２により開閉可能である。蓋板３２はスライド溝３１ａを介してスライド可能である。また、台ボックス３の内部は、仕切り板３３により上側の装飾板用の収納室３４と下側の発光装置用の収納室３５とに仕切られている。
図１０において、仕切り板３３の取付け位置は台ボックス３の上部開口よりやや下方であるため、装飾板用の収納室３４が浅いものとなっている。仕切り板３３には連通孔３３ａが開けられている。装飾板用の収納室３４と発光装置用の収納室３５とは連通孔３３ａにより互いに連通されている。
図８及び図１０に示すように、台ボックス３におけるボックス枠３１には、スタンド部２１側の側面には縦長四角形状のスイッチ用の通孔３１ｂを開けてある。通孔３１ｂは、スタンド部２１の取付け溝２１ｂと連なって、１つの装着口を形成している。
【００１３】
発光装置４について、図２及び図１１〜図１６に基づいて説明する。
図２において、発光装置４は発光素子である照明用のＬＥＤ（発光ダイオード）４１、ＬＥＤに電力を供給する電源である電池４２及び上記ＬＥＤへの通電をオン・オフするための照明用のスイッチ４３を有している。図１１に示すように、発光装置４におけるＬＥＤ４１、電池４２及びスイッチ４３は、接続線４４を介して電気回路を構成している。４５はＬＥＤ保護用の抵抗である。
ＬＥＤ４１は電池４２から供給される電力に基づいて発光するが、図１２に示すように回路基板４６に取り付けられている。
電池４２は、図１３及び図１４に示すように台ボックス３における発光装置用の収納室３５内に固定されている電池用のホルダ４７内に取出し可能に設置されている。電池４２は図１３の例ではケース状のホルダ４７内に仕切りを挟んで隣り合わせに配置され、互いに電極を逆にした状態でホルダの両側板により抱持されている。
照明用のスイッチ４３について、図１３〜図１６を参照して説明する。
スイッチ４３は、スイッチケース４３ａ、スイッチ基板４３ｂ、接点板４３ｃ１，４３ｃ２及びスイッチボタン４３ｄから構成されている。スイッチケース４３ａ内には、スイッチ基板４３ｂ、接点板４３ｃ１，４３ｃ２及びスイッチボタン４３ｄを収納してある。スイッチボタン４３ｄについては、その一部である先端部がスイッチケース４３ａ外に露出されている（図１４参照）。
スイッチケース４３ａは、図１０に示すように１つの装着口を形成しているボックス枠３１の通孔３１ｂ及びスタンド部２１の取付け溝２１ｂに嵌め込まれている。
また、図１５に示すように、スイッチ基板４３ｂには弾性を有する接点板４３ｃ１，４３ｃ２を固定してあり、各接点板における端子が回路基板４８に接続されている。接点板４３ｃ１，４３ｃ２は、回路基板４８を介して一方では電池４２に、他方ではスイッチ４３にそれぞれ接続線４４によって接続されている。
スイッチ４３における接点板４３ｃ１，４３ｃ２は、互いに対向的に設けてある各接点（図示せず。）を通じて接離可能である。接点板４３ｃ１，４３ｃ２は、常時離間するようにばね力が付勢され、一方の接点板４３ｃ１の先端部はスイッチボタン４３ｄの後端に弾接している。このため、一方の接点板４３ｃ１はスイッチボタン４３ｄにより押圧されると、この接点板の接点が他方の接点板４３ｃ２の接点から離れる。
さらに、図２及び図１４に示すように、スイッチケース４３ａには弾性レバー４３ｅを取り付けてある。この弾性レバーはスタンド部２１のペン差込み孔２１ａ内に突出されている。
弾性レバー４３ｅについて具体的に説明すれば、スイッチケース４３ａの下側側面には下端部（先端部）が自由端であって、上端部である基部が取付け部となっている弾性レバー４３ｅを傾斜状に取り付けてある。弾性レバー４３ｅは、下端部側がスイッチケース４３ａの側面から次第に離れるように下開き状態となっている。
弾性レバー４３ｅは、図２及び図１６に示すようにペン差込み孔２１ａに対する筆記具Ｐの挿入操作を通じて下端部側が開いた状態から閉じる状態になり、反対に抜き取り操作を通じて閉じる状態から開いた状態に変動可能である。
図１５及び図１６に示すように弾性レバー４３ｅの開閉により、スイッチボタン４３ｄの進退動作が可能になる。換言すれば、スイッチボタン４３ｄは弾性レバー４３ｅが閉じると、スイッチボタン４３ｄは弾性レバーにより押圧される。反対に、弾性レバー４３ｅが開いている通常の状態に切り替わると、スイッチボタン４３ｄの押圧が解除される。
【００１４】
図１７及び図１８において、装飾板５は透光性の装飾シートからなり、例えばプロポリピレンなどからなるフィルム状のシートが用いられている。装飾シート５には青葉、昆虫など植物、動物その他のものが描かれた図柄５１をプリントしてある。図柄５１としては、図示の例では複数の青葉を隙間なく散りばめた模様にデザイン化した青葉状の絵柄となっている。装飾シート５は、台ボックス３における収納室３４内に配置されていて、この収納室内の底面をほぼ覆うほどの大きさに形成されている。
【００１５】
装飾シート５の裏面側（下面側）には、図２及び図１２に示すように回路基板４６が配置されている。また、装飾シート５は、その裏面側で回路基板４６に取り付けられている照明用のＬＥＤ４１と接触又は近接状態で対向位置関係にある。このため、照明用のＬＥＤ４１から出射した光は装飾シート５を透過して表示部２２を経て透過光として表示部外へ導かれ、スタンド本体２の回りを明るくすることが可能となる。同時に、透過光と、この透過光に基づく装飾シート５の図柄５１とが表示部２２の表示面２２ａ上に鮮明に浮き出された状態で表示される（図１９参照）。
【００１６】
筆記具Ｐと、この筆記具によってオン・オフとなる照明用のスイッチ４３との連動関係について説明する。
筆記具Ｐをペン差込み孔２１ａ内に下側端まで挿入すると、図２に示すように、筆記具の先端部がペン差込み孔内に突出している弾性レバー４３ｅをスイッチボタン４３ｄ側に押圧可能になる。この押圧は、弾性レバー４３ｅをそのばね力に抗して弾性変形させる。スイッチボタンは、弾性レバー４３ｅの弾性変形により押圧されて、一方の接点板４３ｃ１を押圧する。この押圧に基づいて、一方の接点板４３ｃ１の接点が他方の接点板４３ｃ２の接点から離間可能になり、照明用のスイッチ４３がオフの状態となって、照明用のＬＥＤ４１への通電が遮断されて消灯可能となる（図１６参照）。
反対に、筆記具Ｐをペン差込み孔２１ａ内から引き抜いて行く段階で、筆記具の先端部が弾性レバー４３ｅの押圧を解除すると、弾性レバーが弾性変形により元の位置に復帰するので、スイッチボタン４３ｄも元の位置に戻り、照明用のスイッチ４３がオンの状態となり、照明用のＬＥＤ４１へ通電されてＬＥＤが点灯可能となる（図１５参照）。
このように筆記具Ｐが差込み保持状態では照明用のスイッチ４３がオフとなって照明用のＬＥＤ４１が非点灯となり、引き抜き離脱非保持状態ではスイッチがオンとなってＬＥＤ４１が点灯に切り替わることになる。
【００１７】
次に、この考案に係るペンスタンドの使用方法を図２、図１５、図１６及び図１９を参照して説明する。
通常、筆記具Ｐはスタンド部２１のペン差込み孔２１ａ内に差し入れられた保持状態にある。保持状態の場合においては、図１６に示すように、筆記具Ｐはその先端部がペン差込み孔２１ａの下端部まで挿入されていて、先端部側で弾性レバー４３ｅを介してスイッチボタン４３ｄを同図右側に押圧しているため、一方の接点板４３ｃ１はばね力に抗して弾性変形して、接点が他方の接点板４３ｃ２の接点から離れ、照明用のスイッチ４３がオフとなって、照明用のＬＥＤ４１は消灯状態にある。
筆記具Ｐによる筆記が必要になった場合には、この筆記具をその上端部側を持ってペン差込み孔２１ａから抜くと、図２及び図１５に示すように、筆記具の先端部側が弾性レバー４３ｅによるスイッチボタン４３ｄへの押圧を解除するため、一方の接点板４３ｃ１はばね力による復元力で図１５左側へばね変形して元位置に戻るため、接点が他方の接点板４３ｃ２の接点に再び接して、照明用のスイッチ４３がオンとなって、照明用のＬＥＤ４１は点灯状態になる。点灯すると、ＬＥＤからの照射光が装飾シート５の裏面から表面に透過し、その透過光が透明部材からなる表示部２２に装飾シートを表示させ、そして表示部を介して暗かった手元が明るくなり、筆記具Ｐによるメモ書きがし易くなる。
同時に、図１９に示すように、照明用のＬＥＤ４１の照射光は装飾シート５の裏面から表面に透過するが、照射光が照射された上記裏面の個所は表面では光のスポットＳを発生させる。このスポットが光輝点となる。換言すると、照射光が装飾シート５の裏面からその表面に透過して、透過光が投射される裏面の個所にあっては表面では透過光のスポットＳとして明るく輝くから、表示部２２には装飾シート５におけるデザイン化された青葉状の図柄５１が浮き出され、その上、各照明用のＬＥＤ４１からの光が透過光として青葉に止まっている蛍から発せられるあたかも蛍光をイメージさせ、その結果、季節感を醸し出す効果が発揮される。
このように図柄５１だけではなく、この図から光輝点となる各スポットＳとの組み合わせによる相乗効果により、図１９に示す例ではあたかも青葉に止まっている幾つかの蛍が蛍光を発している初夏の風景を想起させるものとなる。
筆記具Ｐの不使用状態までは照明用のスイッチ４３のオン状態が継続されて、照明用のＬＥＤ４１が点灯しているので、雰囲気をやわらげ、同時に確実に筆記具Ｐの整理整頓ができる。
メモ書きを終えたら、再び筆記具Ｐをペン差込み孔２１ａ内に挿入すると、照明用のスイッチ４３は最初のオフ状態に切り替わる。
【００１８】
上述したように、図１及び図２に示すペンスタンド１によれば、使用時に筆記具Ｐをペン差込み孔２１ａ内から引き抜くことにより照明用のスイッチ４３がオンとなり、使用を終えるまで照明用のＬＥＤ４１が点灯するから周辺が明るくなり筆記具の扱いや筆記がし易い。そして、筆記具Ｐの不使用時すなわち筆記具が挿入保持状態ではスイッチ４３がオフとなるので省電力となる。
また、上例のペンスタンド１によれば、ホテル、旅館及び家庭などにおいて、筆記具Ｐをペン差込み孔２１ａ内から抜き出して使用する場合では、照明用のＬＥＤ４１が点灯して、装飾シート５を透過する透過光が表示部２２の回りを明るくするから、闇夜に装飾シートの図柄５１やスポットＳに見える透過光が浮き出され、あたかも蛍光を発する蛍が青葉に止まっている印象を抱かせて、特に蛍の季節にあっては季節感を醸し出し、使用者の気持ちを和らげる効果を期待することができ、光や装飾シート５の図柄５１に基づく意匠効果も期待することができる。
【００１９】
スタンド本体２の構造は図示するようにスタンド部２１と表示部２２とを一体としたものに限られず、相互に分離可能に組み立てられたものでも良い。この例では、表示部２２については透明とする。また、スタンド本体２の形状は横向きの「Ｔ」形に限定されず、例えば「Ｌ」形でも良く、この「Ｌ」形の例ではスタンド本体の底部に台ボックス３を配置する。
ペン差込み孔２１ａは垂直孔でも傾斜孔でも良い。
発光装置４における照明用のＬＥＤ４１の設置数は図柄５１の構成によって単数か複数かの選択をすれば良く、複数であることを要しない。設置数は選択事項であるが、複数にすれば、季節感、趣向又はデザイン性がより一層増すことが期待できる。また、照明用のスイッチ４３の他の例として、ペン差込み孔２１ａの内底面に可動端子を筆記具Ｐの挿脱操作を妨げない程度に突出させて、この可動端子に対して筆記具の先端部の押圧及び押圧解除に伴って可動する固定端子に切離させることを通じてスイッチ４３のオン・オフをさせても良い。
【００２０】
図２０及び図２１に示す台ボックス３の仕切り板３３において、装飾板用の収納室３４側の上面には回路基板４６を位置保持するための有底であってかつ四角形状の保持溝３３ｂを形成してある。保持溝３３ｂ内に、回路基板４６の上部分又は全部を嵌め込むようにして、回路基板の位置の安定化を図るようにしても良い。
【００２１】
図１８に示す装飾板５として、複数枚の青葉を重ねてデザイン化した青葉状の図柄５１を配したシートを使用したが、この例に限られず、例えば木、森又は草むらを描いた図柄にすれば、照明用のＬＥＤ４１からの透過光があたかも草むらなどに止まっている蛍からの蛍光を使用者に意識させ、その場の雰囲気を和らげる効果を期待することができる。
筆記具Ｐを使用する場合という一時的な使用ではあるが、図柄５１に関しては季節感を醸し出すための模様、その場を少しでも和らげるための模様などであっても良い。図柄として、図２２（ｉ）に示す装飾シート５Ａでは花火を配した図柄５１Ａとし、同図（ｉｉ）に示す装飾シート５Ｂでは漁火を配した図柄５１Ｂとしている。
装飾シート５Ａにおいては、図柄５１Ａとなる花火の中心に当たる位置に照明用のＬＥＤ４１を対向させている。
装飾シート５Ｂにおいては、図柄５１Ｂとなる漁火では水平線に沿って照明用のＬＥＤ４１を並べてある。
このように、装飾板５の構成は上述したシート、形状又は色彩に限定されない。
【符号の説明】
【００２２】
１                      ペンスタンド
２                      スタンド本体
２１                    スタンド部
２１ａ                  ペン差込み孔
２１ｂ                  取付け溝
２２                    表示部
２２ａ                  表示面
２３                    台ボックスの収納空間
３                      台ボックス
４                      発光装置
４１                    照明用のＬＥＤ（発光素子）
４２                    電池（電源）
４３                    照明用のスイッチ
４３ｃ１，４３ｃ２      接点板
４３ｄ                  スイッチボタン
４３ｅ                  弾性レバー
４４                    接続線
５，５Ａ，５Ｂ          装飾シート（装飾板）
５１，５１Ａ，５１Ｂ    図柄
Ｐ                      筆記具
Ｓ                      スポット
【図１】
0003220032.tif 000003
【図２】
0003220032.tif 000004
【図３】
0003220032.tif 000005
【図４】
0003220032.tif 000006
【図５】
0003220032.tif 000007
【図６】
0003220032.tif 000008
【図７】
0003220032.tif 000009
【図８】
0003220032.tif 000010
【図９】
0003220032.tif 000011
【図１０】
0003220032.tif 000012
【図１１】
0003220032.tif 000013
【図１２】
0003220032.tif 000014
【図１３】
0003220032.tif 000015
【図１４】
0003220032.tif 000016
【図１５】
0003220032.tif 000017
【図１６】
0003220032.tif 000018
【図１７】
0003220032.tif 000019
【図１８】
0003220032.tif 000020
【図１９】
0003220032.tif 000021
【図２０】
0003220032.tif 000022
【図２１】
0003220032.tif 000023
【図２２】
0003220032.tif 000024